(57)【要約】【課題】便座装置において、運転状態を示す表示部を、使用者が便座装置を通常使用する場合には見えにくいが、使用者またはメンテナンス業者が必要に応じて視認可能とすること。【解決手段】便座装置１は、中空に形成されたケーシング１１を有する本体部１０と、ケーシング１１に支持された便座２０と、ケーシング１１内に収納され、発光可能に設けられた発光部１３と、発光部１３の発光によって運転状態を示す表示部１２と、を備えている。表示部１２は、ケーシング１１の天井部１１ｅにおける所定部位１１ｅ３であって、天井部１１ｅの前側部または便座２０の後端部２１より後方かつ下方に位置する所定部位１１ｅ３に設けられている。【選択図】  図１
2019127686.tif 000002
【特許請求の範囲】
【請求項１】
中空に形成されたケーシングを有する本体部と、
前記ケーシングに支持された便座と、
前記ケーシング内に収納され、発光可能に設けられた発光部と、
前記発光部の発光によって運転状態を示す表示部と、を備えた便座装置であって、
前記表示部は、
前記ケーシングの天井部における所定部位であって、前記天井部の前側部、および前記便座の後端部の少なくとも一方より後方かつ下方に位置する前記所定部位に設けられている便座装置。
【請求項２】
前記便座の後端部は、閉状態である場合に、前記天井部の前側部を覆うように設けられている請求項１に記載の便座装置。
【請求項３】
前記所定部位は、
前記天井部における左側および右側の一方側の端部に設けられ、前記天井部における左側および右側の他方側から前記一方側に向かうにしたがって、上方から下方に向けて傾斜するように形成されている請求項１または請求項２に記載の便座装置。
【請求項４】
前記表示部は、
前記ケーシングに一体に形成されるとともに、ベース部と、前記ベース部に対して厚みが薄くなるように形成され、前記発光部が発した光を透過させて前記運転状態を示す薄肉部と、を備えている請求項１乃至請求項３の何れか一項に記載の便座装置。
【請求項５】
前記ケーシング内に収納され、洗浄水を噴出することにより人体の局部を洗浄するノズルをさらに備えている請求項１乃至請求項４の何れか一項に記載の便座装置。
【発明の詳細な説明】
【技術分野】
【０００１】
本発明は、便座装置に関する。
【背景技術】
【０００２】
便座装置の一形式として、特許文献１に示されているものが知られている。特許文献１の図１０乃至図１４に示されているように、便座装置の本体の外郭を形成する上ケース、上ケースの中央を隆起して設けられ、左右両端部にて便座および便蓋を支持する膨出部、および、膨出部の頂上部に設けられ、運転状態を表示する表示部を備えている。表示部は、便座および便蓋が開状態および閉状態の何れであっても使用者が目視可能な位置に配置されている。
【先行技術文献】
【特許文献】
【０００３】
【特許文献１】特許第４０５６１９７号公報
【発明の概要】
【発明が解決しようとする課題】
【０００４】
上述した特許文献１の表示部は、電源のオンオフ状態等の運転状態を表示するものであるため、使用者またはメンテナンス業者が必要に応じて視認できれば良く、使用者が便座装置を使用する場合に必ず視認できる必要がないと考えられる。
【０００５】
本発明は、上述した問題を解消するためになされたもので、便座装置において、運転状態を示す表示部を、使用者が便座装置を通常使用する場合には見えにくいが、使用者またはメンテナンス業者が必要に応じて視認可能とすることを目的とする。
【課題を解決するための手段】
【０００６】
上記の課題を解決するため、請求項１に係る便座装置は、中空に形成されたケーシングを有する本体部と、ケーシングに支持された便座と、ケーシング内に収納され、発光可能に設けられた発光部と、発光部の発光によって運転状態を示す表示部と、を備えた便座装置であって、表示部は、ケーシングの天井部における所定部位であって、天井部の前側部、および便座の後端部の少なくとも一方より後方かつ下方に位置する所定部位に設けられている。
【発明の効果】
【０００７】
これによれば、運転状態を表示する表示部は、天井部の前側部または便座の後端部の少なくとも一方より後方かつ下方の所定部位に設けられている。このため、使用者が便座装置を前方から見たときに、表示部が天井部の前側部または便座の後端部のかげに隠れる。このため、使用者が便座装置を通常使用する場合には表示部を見えにくくすることができる。一方、使用者またはメンテナンス業者は、運転状態を確認したい場合、本体部を上方から覗くことで表示部を視認することができる。よって、便座装置において、運転状態を示す表示部を、使用者が便座装置を通常使用する場合には見えにくいが、使用者またはメンテナンス業者が必要に応じて視認可能とすることができる。
【図面の簡単な説明】
【０００８】
【図１】本発明の第一実施形態に係る便座装置の斜視図であり、便座が閉状態である場合を表している。
【図２】図１に示す便座装置の斜視図であり、便座が開状態である場合を表している。
【図３】図１に示す便座装置の側面図である。
【図４】図１に示す便座装置の背面図である。
【図５】図１に示す便座装置の上面図である。
【図６】図１に示す表示部の上面図である。
【図７】図６に示すVII-VII線に沿った表示部の断面図である。
【図８】本発明の第二実施形態に係る便座装置の側面図である。
【図９】本発明の第三実施形態に係る便座装置の側面図である。
【図１０】図９に示す便座装置の背面図である。
【図１１】本発明の第四実施形態に係る便座装置の側面図である。
【図１２】図１１に示す便座装置の背面図である。
【図１３】本発明の各実施形態の第一変形例に係る表示部の断面図である。
【図１４】本発明の各実施形態の第二変形例に係る表示部の断面図である。
【図１５】本発明の各実施形態の第三変形例に係る表示部の断面図である。
【図１６】本発明の各実施形態の第四変形例に係る表示部の上面図である。
【図１７】本発明の各実施形態の第五変形例に係る表示部の断面図である。
【発明を実施するための形態】
【０００９】
＜第一実施形態＞
以下、本発明による便座装置の第一実施形態について説明する。なお、本明細書においては説明の便宜上、図１における上側および下側をそれぞれ便座装置１の上方および下方とし、同じく左上側および右下側をそれぞれ便座装置１の後方および前方とし、同じく左下側および右上側を、それぞれ便座装置１の左方および右方として説明する。
【００１０】
本実施形態において、便座装置１は、温水洗浄便座である。便座装置１は、本体部１０、便座２０およびノズル３０を備えている。
【００１１】
本体部１０は、例えば公共のトイレルームに設置された腰掛式便器（図示なし）に取り付けられている。本体部１０は、図１乃至図７に示すように、ケーシング１１、表示部１２および発光部１３を備えている。
【００１２】
ケーシング１１は、中空に形成されている。ケーシング１１は、およそ左右対称に形成されている。ケーシング１１は、およそ一定の肉厚にて形成されている。ケーシング１１は、熱可塑性樹脂を、射出成形することによって形成されている。ケーシング１１は、図１乃至図５に示すように、下方部１１ａ、前方部１１ｂ、側方部１１ｃ、後方部１１ｄ、天井部１１ｅおよび一対の支持部１１ｆを備えている。
【００１３】
下方部１１ａは、ケーシング１１の下側の部位であって、腰掛式便器に取り付けられる部位である（図３および図４参照）。前方部１１ｂは、ケーシング１１の前側の部位であって、後方から前方に向かうにしたがって、上方から下方に向けて傾斜するように形成されている（図２および図３参照）。側方部１１ｃは、ケーシング１１の左側および右側の部位であって、およそ上下方向に沿って延びるように、側面視台形状に形成されている（図１乃至図３参照）。後方部１１ｄは、ケーシング１１の後側の部位であって、およそ上下方向に沿って延びるように、背面視矩形状に形成されている（図４参照）。
【００１４】
天井部１１ｅは、ケーシング１１の上側の部位である。天井部１１ｅは、前側部を上段部１１ｅ１とし、後側部を下段部１１ｅ２とする側面視段状に形成されている（図１乃至図４参照）。上段部１１ｅ１は、本発明の天井部の前側部に相当する。
【００１５】
下段部１１ｅ２は、天井部１１ｅの後側部であり、上段部１１ｅ１の後方かつ下方に位置するように設けられている。また、下段部１１ｅ２は、左右方向中央部から左端および右端の両方に向かうにしたがって、上方から下方に向けてわずかに傾斜するように形成されている（図４参照）。
【００１６】
一対の支持部１１ｆは、便座２０を回動可能に支持する部位である。一対の支持部１１ｆは、天井部１１ｅの上段部１１ｅ１から前方部１１ｂの前後方向の中央部にかけて上方に向けて隆起するように形成され、かつ、左右方向に沿って二つ並べて形成された部位である（図２参照）。一対の支持部１１ｆは、天井部１１ｅの上段部１１ｅ１の上方の部位にて便座２０を回動可能に支持する。
【００１７】
表示部１２は、発光部１３の発光によって運転状態を示すものである。運転状態は、便座装置１の電源のオンオフ状態、節電モードのオンオフ状態、および、便座装置１の点検の時期であるか否かの状態である。
【００１８】
節電モードは、便座２０の消費電力を抑制する制御モードである（詳細は後述する）。便座装置１の点検の時期は、例えば、便座装置１が設置されて電源が最初にオンされた時点から、所定時間（設置場所が公共のトイレルームである場合、例えば２年）経過した時期である。
【００１９】
表示部１２は、図１乃至図７に示すように、ケーシング１１の天井部１１ｅにおける所定部位１１ｅ３に設けられている。所定部位１１ｅ３は、天井部１１ｅの下段部１１ｅ２における左端部に設けられている。すなわち、表示部１２は、上段部１１ｅ１（天井部１１ｅの前側部）より後方かつ下方に位置するように設けられている。また、下段部１１ｅ２が上述したように傾斜するように設けられているため、所定部位１１ｅ３は、天井部１１ｅにおける右側から左側に向かうにしたがって、上方から下方に向けて傾斜するように設けられている。
【００２０】
また、表示部１２とケーシング１１とは、一体に形成されている。上述したように所定部位１１ｅ３が傾斜しているため、表示部１２の外面も所定部位１１ｅ３の外面と同様に傾斜している。表示部１２は、図６および図７に示すように、ベース部１２ａおよび複数の薄肉部１２ｂを備えている。
【００２１】
ベース部１２ａは、ケーシング１１の所定部位１１ｅ３に相当する部位であり、所定部位１１ｅ３と同じ肉厚に形成されている。ベース部１２ａには、複数の薄肉部１２ｂが設けられている。
【００２２】
複数の薄肉部１２ｂは、ベース部１２ａに対して厚みが薄くなるように形成され、発光部１３が発した光を透過させて運転状態を示すものである。複数の薄肉部１２ｂは、ベース部１２ａの内側面より凹むように形成されている。複数の薄肉部１２ｂは、円柱状に凹むように形成されている。これにより、表示部１２の外面は、天井部１１ｅの下段部１１ｅ２の外面と同一曲面によって形成され、ケーシング１１の外面に対して段差および隙間が形成されない。複数の薄肉部１２ｂは、ケーシング１１が射出成形されることにより形成される。
【００２３】
第一の薄肉部１２ｂ１は、電源のオンオフ状態を示すものである。表示部１２の外面における第一の薄肉部１２ｂ１の前方には、「電源」の文字が印字されている。第二の薄肉部１２ｂ２は、節電モードのオンオフ状態を示すものである。表示部１２の外面における第二の薄肉部１２ｂ２の前方には、「節電」の文字が印字されている。第三の薄肉部１２ｂ３は、便座装置１の点検の時期であるか否かの状態を示すものである。表示部１２の外面における第三の薄肉部１２ｂ３の前方には、「点検」の文字が印字されている。
【００２４】
発光部１３は、図７に示すように、ケーシング１１内に収納され、発光可能に設けられたものである。発光部１３は、複数（本実施形態においては３つ）設けられている。発光部１３は、例えば発光ダイオード（ＬＥＤ）である。発光部１３は、基板４０の一方面に配置されている。基板４０は、セラミック等の絶縁材料にて板状に形成され、一方面に発光部１３を発光させる電気回路（図示なし）が設けられている。
【００２５】
第一の発光部１３ａは、第一の薄肉部１２ｂ１と対向して、第一の薄肉部１２ｂ１に向けて発光可能に配置されている。第一の発光部１３ａは、便座装置１の電源がオン状態である場合に緑色に点灯し、便座装置１の電源がオフ状態である場合に消灯する。第一の発光部１３ａが点灯した場合、第一の薄肉部１２ｂ１が第一の発光部１３ａからの光を透過して、上面視円状に点灯する。これにより、電源がオン状態であることが示される。
【００２６】
第二の発光部１３ｂは、第二の薄肉部１２ｂ２と対向して、第二の薄肉部１２ｂ２に向けて発光可能に配置されている。第二の発光部１３ｂは、節電モードがオン状態である場合に緑色に点灯し、節電モードがオフ状態である場合に消灯する。第二の発光部１３ｂが点灯した場合、第二の薄肉部１２ｂ２が第二の発光部１３ｂからの光を透過して、上面視円状に点灯する。これにより、節電モードがオン状態であることが示される。
【００２７】
第三の発光部１３ｃは、第三の薄肉部１２ｂ３と対向して、第三の薄肉部１２ｂ３に向けて発光可能に配置されている。第三の発光部１３ｃは、便座装置１の点検の時期である場合に赤色に点灯し、点検の時期でない場合に消灯する。第三の発光部１３ｃが点灯した場合、第三の薄肉部１２ｂ３が第三の発光部１３ｃからの光を透過して、上面視円状に点灯する。これにより、便座装置１の点検の時期であることが示される。
【００２８】
便座２０は、図１乃至図５に示すように、ケーシング１１に閉状態Ｐ１と開状態Ｐ２との間を回動可能に支持されたものである。便座２０は、後端部２１にて本体部１０の一対の支持部１１ｆに回動可能に支持されている。閉状態Ｐ１は、先端部２２が前方を向き、かつ使用者が着座する着座面Ｓ１が上方を向いた状態であって、使用者が着座面Ｓ１に着座可能な状態である（図１参照）。開状態Ｐ２は、先端部２２が上方を向いた状態であって、使用者が着座面Ｓ１に着座できない状態である（図２参照）。
【００２９】
便座２０は、閉状態Ｐ１において上面視環状に設けられている。便座２０の後端部２１は、便座２０が閉状態Ｐ１である場合に、天井部１１ｅの前側部（上段部１１ｅ１）を覆うように設けられている。具体的には、便座２０は、閉状態Ｐ１である場合に、後端部２１がケーシング１１の前方部１１ｂおよび天井部１１ｅの上段部１１ｅ１かけて、ケーシング１１に沿って延びるように形成されている。これにより、所定部位１１ｅ３ひいては表示部１２が、便座２０の後端部２１より後方かつ下方に位置する。
【００３０】
このように、所定部位１１ｅ３ひいては表示部１２は、上段部１１ｅ１（天井部１１ｅの前側部）および便座２０の後端部２１より後方かつ下方に設けられている。また、便座２０の後端部２１における上端と、所定部位１１ｅ３（表示部１２）との上下方向距離が第一所定距離Ｄ１となるとともに、便座２０の後端と所定部位１１ｅ３（表示部１２）との前後方向距離が第二所定距離Ｄ２となるように、ケーシング１１の天井部１１ｅおよび便座２０の後端部２１が形成されている（図３参照）。第一所定距離Ｄ１および第二所定距離Ｄ２は、例えば身長が成人男性の平均身長である使用者が、便座装置１の前方に立った場合に、所定部位１１ｅ３および表示部１２が便座２０の後端部２１および天井部１１ｅの前側部（上段部１１ｅ１）に隠れて見えにくくなるように、設定されている。
【００３１】
また、便座２０の外面における後端部２１の上面、着座面Ｓ１および側面Ｓ２は、各々を互いに滑らかに接続する曲面によって形成されている。さらに、便座２０が閉状態Ｐ１である場合、便座２０の後端部２１の上面および側面Ｓ２と、本体部１０の側方部１１ｃの外面とが、各々を互いに滑らかに接続する同一曲面上に配置されるようにそれぞれ形成されている。
【００３２】
また、便座２０の後端部２１における着座面Ｓ１と反対の裏面Ｓ３には、一対の凹部２３が設けられている（図２参照）。便座２０が閉状態Ｐ１である場合に、一対の凹部２３に本体部１０の一対の支持部１１ｆが嵌まる。
【００３３】
また、便座２０は、中空に形成され、内部に着座面Ｓ１を加熱する加熱装置（図示なし）が収納されている。加熱装置は、例えば通電されることにより発熱するコードヒータ（図示なし）を用いて構成されている。着座面Ｓ１の温度が使用者によって設定された設定温度（例えば３８℃）となるように、後述する制御装置６０によってコードヒータの通電が制御される。
【００３４】
ノズル３０は、ケーシング１１内に収納され、洗浄水を噴出することにより人体の局部を洗浄するものである。ノズル３０は、全部がケーシング１１内に収納される収納位置と、少なくとも先端部３１がケーシング１１の外部に位置する洗浄位置（図１に示す位置）との間を移動可能に設けられている。ノズル３０は、洗浄位置に位置する場合、給水源（例えば上水道）から洗浄水が供給され、その洗浄水を噴出することにより、人体の局部を洗浄する。
【００３５】
また、便座装置１は、図１に示すように、リモコン装置５０を備えている。リモコン装置５０は、便座装置１を有線または無線によって遠隔操作するものである。リモコン装置５０には、洗浄を行う洗浄スイッチ５１、洗浄を停止するための止スイッチ５２、電源をオンオフするための電源スイッチ５３、節電モードをオンオフするための節電スイッチ５４および便座２０の設定温度を設定するための便座温度スイッチ５５を備えている。
【００３６】
制御装置６０は、ケーシング１１内に収納され、便座装置１を統括制御するものである。制御装置６０は、リモコン装置５０と通信して、各スイッチ５１〜５５のオンオフ状態を取得する。制御装置６０は、各スイッチ５１〜５５のオンオフ状態にしたがって、発光部１３の点灯および消灯、コードヒータの通電等を制御する。また、制御装置６０は、上述した節電モードがオン状態である場合、例えば、使用者が着座面Ｓ１に着座していない場合に、設定温度を所定温度（例えば３℃）下げることにより、コードヒータへの通電量を抑制するように制御する。
【００３７】
使用者が電源スイッチ５３によって電源をオン状態にした場合、第一の発光部１３ａが点灯して、第一の薄肉部１２ｂ１が点灯する。使用者が電源スイッチ５３によって電源をオフ状態にした場合、第一の発光部１３ａが消灯して、第一の薄肉部１２ｂ１が消灯する。
【００３８】
同様に、使用者が節電スイッチ５４によって節電モードをオン状態にした場合、第二の発光部１３ｂが点灯して、第二の薄肉部１２ｂ２が点灯する。使用者が節電スイッチ５４によって節電モードをオフ状態にした場合、第二の発光部１３ｂが消灯して、第二の薄肉部１２ｂ２が消灯する。
【００３９】
便座装置１が設置されて電源が最初にオン状態になった時点から所定時間が経過していない場合、第三の発光部１３ｃが消灯しているため、第三の薄肉部１２ｂ３が消灯している。電源が最初にオン状態になった時点から所定時間が経過した場合、第三の発光部１３ｃが点灯して、第三の薄肉部１２ｂ３が点灯する。
【００４０】
本第一実施形態によれば、便座装置１は、中空に形成されたケーシング１１を有する本体部１０と、ケーシング１１に支持された便座２０と、ケーシング１１内に収納され、発光可能に設けられた発光部１３と、発光部１３の発光によって運転状態を示す表示部１２と、を備えている。表示部１２は、ケーシング１１の天井部１１ｅにおける所定部位１１ｅ３であって、天井部１１ｅの前側部（上段部１１ｅ１）および便座２０の後端部２１より後方かつ下方に位置する所定部位１１ｅ３に設けられている。
【００４１】
これによれば、運転状態を表示する表示部１２は、天井部１１ｅの上段部１１ｅ１および便座２０の後端部２１より後方かつ下方の所定部位１１ｅ３に設けられている。このため、使用者が便座装置１を前方から見たときに、表示部１２が天井部１１ｅの上段部１１ｅ１および便座２０の後端部２１のかげに隠れる。このため、使用者が便座装置１を通常使用する場合には表示部１２を見えにくくすることができる。一方、使用者またはメンテナンス業者は、運転状態を確認したい場合、本体部１０を上方から覗くことで表示部１２を視認することができる。よって、便座装置１において、運転状態を示す表示部１２を、使用者が便座装置１を通常使用する場合には見えにくいが、使用者またはメンテナンス業者が必要に応じて視認可能とすることができる。
【００４２】
また、使用者が便座装置１を前方から見た場合に、表示部１２が使用者から見えにくいため、便座装置１をすっきりとしたデザインにすることができる。
【００４３】
また、便座２０の後端部２１は、便座２０が閉状態Ｐ１である場合に、天井部１１ｅの前側部（上段部１１ｅ１）を覆うように設けられている。
【００４４】
これによれば、使用者が便座装置１を前方や上方から見た場合に、本体部１０と便座２０との隙間を見えにくくすることができるため、便座装置１の全体をすっきりとしたデザインとすることができる。
【００４５】
また、所定部位１１ｅ３は、天井部１１ｅにおける左側の端部に設けられ、天井部１１ｅにおける右側から左側に向かうにしたがって、上方から下方に向けて傾斜するように形成されている。
これによれば、使用者またはメンテナンス業者が、本体部１０を上方から覗く場合だけでなく、本体部１０を側方から見た場合に、表示部１２を容易に視認することができる。
【００４６】
また、表示部１２は、ケーシング１１に一体に形成されるとともに、ベース部１２ａと、ベース部１２ａに対して厚みが薄くなるように形成され、発光部１３が発した光を透過させて運転状態を示す複数の薄肉部１２ｂと、を備えている。
【００４７】
これによれば、表示部１２がケーシング１１に一体に形成されるため、表示部１２が別体に形成される場合に比べて、ケーシング１１の外面を段差および隙間が無いすっきりとしたデザインとすることができる。また、表示部１２に水や汚れ等が付着した場合に、この水や汚れがケーシング１１の内部に侵入することを防ぐことができる。
【００４８】
また、便座装置１は、ケーシング１１内に収納され、洗浄水を噴出することにより人体の局部を洗浄するノズル３０をさらに備えている。
これによれば、便座装置１が温水洗浄便座である場合においても上述した効果と同様の効果を有する。
【００４９】
＜第二実施形態＞
次に、本発明による便座装置１の第二実施形態について、主として上述した第一実施形態と異なる部分を、図８を用いて説明する。上述した第一実施形態の便座２０の後端部２１は、ケーシング１１の天井部１１ｅにおける上段部１１ｅ１を覆うように形成されているが、本第二実施形態の便座１２０の後端部１２１は、天井部１１１ｅの上段部１１１ｅ１を覆うように形成されていない。便座１２０の後端部１２１は、ケーシング１１１の前方部１１１ｂのみを覆うように形成されている。また、便座１２０の後端部１２１の上面は、上段部１１１ｅ１の上面と同じ高さになるように形成されている。これにより、所定部位１１１ｅ３ひいては表示部１１２は、上段部１１１ｅ１（天井部の前側部）より後方かつ下方に位置する。なお、この場合、一対の支持部１１１ｆの上面が、便座１２０の後端部１２１の上面および上段部１１１ｅ１の上面と同じ高さとなるように形成されている。また、本第二実施形態においては、天井部１１ｅの下段部１１ｅ２の傾斜が、上述した第一実施形態に比べて大きくなるように設定されている。
【００５０】
＜第三実施形態＞
次に、本発明による便座装置１の第三実施形態について、主として上述した第一実施形態と異なる部分を、図９および図１０を用いて説明する。上述した第一実施形態の天井部１１ｅは、上段部１１ｅ１および下段部１１ｅ２を有する側面視段状に形成されているが、本第三実施形態の天井部２１１ｅは段状に形成されていない。天井部２１１ｅは、第一実施形態の上段部１１ｅ１を、天井部１１ｅの後端まで延ばした形状に設けられている。また、所定部位２１１ｅ３は、天井部２１１ｅの後側部における一対の支持部２１１ｆより左方の左端部に形成されている。よって、所定部位２１１ｅ３ひいては表示部２１２は、便座２０の後端部２１より後方かつ下方に位置する。
【００５１】
＜第四実施形態＞
次に、本発明による便座装置１の第四実施形態について、主として上述した第一実施形態と異なる部分を、図１１および図１２を用いて説明する。上述した第一実施形態の天井部１１ｅは、上段部１１ｅ１および下段部１１ｅ２を有する側面視段状に形成されているが、本第四実施形態の天井部３１１ｅは、側面視半円状に形成されている。また、上述した第一実施形態の一対の支持部１１ｆは、ケーシング１１から隆起するように形成されているが、本第四実施形態の一対の支持部３１１ｆは、ケーシング３１１の天井部３１１ｅの左右方向中央部に設けられた凹部３１１ｇから左側の部位および右側の部位である。この凹部３１１ｇに便座３２０に設けられた腕部３２４が嵌まり、腕部３２４ひいては便座３２０が一対の支持部３１１ｆに回動可能に支持される。
【００５２】
さらに、便座３２０の後端部３２１は、天井部３１１ｅの頂部３１１ｈを覆うように形成されている。また、所定部位３１１ｅ３は、天井部３１１ｅにおける便座３２０の後端部３２１より後方に設けられている。これにより、所定部位３１１ｅ３ひいては表示部３１２は、便座３２０の後端部３２１より後方かつ下方に位置する。
【００５３】
＜他の変形例＞
なお、上述した各実施形態において、便座装置の一例を示したが、本発明はこれに限定されず、他の構成を採用することもできる。例えば、便座装置１は、温水洗浄便座であるが、これに代えて、洗浄機能を有さない暖房便座としても良い。
【００５４】
また、上述した各実施形態において、複数の薄肉部１２ｂは、ケーシング１１が射出成形されるときに形成されるが、これに代えて、ケーシング１１が射出成形された後に、加工（例えば切削加工）されることによって、形成されるようにしても良い。
【００５５】
また、上述した各実施形態において、所定部位１１ｅ３〜３１１ｅ３ひいては表示部１２〜３１２は、天井部１１ｅ〜３１１ｅの左端部に設けられているが、これに代えて、天井部１１ｅ〜３１１ｅの右端部に設けるようにしても良い。すなわち、所定部位１１ｅ３〜３１１ｅ３は、天井部１１ｅ〜３１１ｅにおける左側および右側の一方側の端部に設けられ、天井部１１ｅ〜３１１ｅにおける左側および右側の他方側から一方側に向かうにしたがって、上方から下方に向けて傾斜するように形成されている。また、所定部位１１ｅ３〜３１１ｅ３は、天井部１１ｅ〜３１１ｅの中央部に設けるようにしても良い。
【００５６】
また、上述した各実施形態において、表示部１２には、「電源」等の文字が印字されているが、これに代えて、「電源」等の文字を印字しないようにしても良い。
【００５７】
また、上述した各実施形態において、複数の薄肉部１２ｂは、円柱状に凹むように形成されているが（図７参照）、これに代えて、図１３に示す複数の薄肉部４１２ｂのように、半球状に凹むように形成するようにしても良い。また、図１４に示す複数の薄肉部５１２ｂのように、円錐台状に凹むように形成するようにしても良い。これによれば、複数の薄肉部１２ｂ，４１２ｂ，５１２ｂの形状によって発光部１３からの光の透過の度合いを変更することができるため、複数の薄肉部１２ｂ，４１２ｂ，５１２ｂが点灯する範囲や点灯したときの明るさを変更することができる。
【００５８】
さらに、図１５に示す複数の薄肉部６１２ｂのように、ベース部６１２ａの内側面より凹むように形成するとともに、ベース部６１２ａの外側面より半球状に凹むように形成するようにしても良い。これによれば、発光部１３が消灯していることにより、複数の薄肉部６１２ｂが消灯している場合においても、表示部６１２の位置を確認することができる。
【００５９】
また、上述した各実施形態において、複数の薄肉部１２ｂ，４１２ｂ，５１２ｂ，６１２ｂは、上面視円状に点灯するが、これに代えて、図１６に示す複数の薄肉部７１２ｂのように、ピクトグラムの形状にて点灯するように複数の薄肉部７１２ｂを形成しても良い。
【００６０】
また、上述した各実施形態において、表示部１２〜７１２は、ケーシング１１〜７１１と一体に形成されているが、これに代えて、表示部１２〜７１２とケーシング１１とを別体に設けるようにしても良い。この場合、表示部１２〜７１２とケーシング１１とを、ネジ等を用いて結合し、または、溶着や接着剤等によって接着するようにしてもよい。また、図１７に示すように、複数の薄肉部１２ｂに代えて、所定部位８１１ｅ３と別体の透過部材８１２ｃを用いるようにしても良い。透過部材８１２ｃは、透明材料によって円柱状に形成され、上面が所定部位８１１ｅ３の外面と同一曲面上に配置される。また、透過部材８１２ｃは、底部に発光部１３が内側に配置される凹部８１２ｄが形成される。これにより、発光部１３によって発せられた光が透過部材８１２ｃを透過して、透過部材８１２ｃの上面が点灯する。これによって、使用者が運転状態を確認することができる。
【００６１】
また、上述した実施形態において、便座装置１は、公共のトイレルームに設置されているが、これに代えて、個人宅のトイレルームに設置するようにしても良い。この場合、点検の時期の目安となる上述した所定時間は、例えば８年としても良い。
【００６２】
また、上述した実施形態において、便座装置１は、リモコン装置５０を備えているが、これに代えて、便座装置１がリモコン装置５０を備えずに、各スイッチ５１〜５５を本体部１０に設けるようにしても良い。
【００６３】
また、上述した各実施形態において、表示部１２〜８１２は、便座装置１の運転状態を示しているが、これに代えて、各発光部１３ａ，１３ｂ，１３ｃの点滅や、点灯の組み合わせによって、便座装置１の異常を知らせるようにしても良い。
【００６４】
また、本発明の要旨を逸脱しない範囲において、ケーシング１１〜８１１、便座２０〜３２０、所定部位１１ｅ３〜８１１ｅ３および表示部１２〜８１２、複数の薄肉部１２ｂ〜７１２ｂの形状を変更するようにしても良い。また、発光部１３の種類や光の色を変更するようにしても良い。また、複数の薄肉部１２ｂ〜７１２ｂの個数や、複数の薄肉部１２ｂ〜７１２ｂ、所定部位１１ｅ３〜８１１ｅ３および表示部１２〜８１２の大きさ、ならびに、ケーシング１１〜８１１における位置や範囲を変更するようにしても良い。
【符号の説明】
【００６５】
１…便座装置、１０…本体部、１１…ケーシング、１１ｅ…天井部、１１ｅ１…上段部（天井部の前側部）、１１ｅ３…所定部位、１１ｆ…一対の支持部、１２…表示部、１２ａ…ベース部、１２ｂ…複数の薄肉部（薄肉部）、１３…発光部、２０…便座、２１…便座の後端部、３０…ノズル、Ｐ１…閉状態、Ｐ２…開状態。
【図１】
2019127686.tif 000003
【図２】
2019127686.tif 000004
【図３】
2019127686.tif 000005
【図４】
2019127686.tif 000006
【図５】
2019127686.tif 000007
【図６】
2019127686.tif 000008
【図７】
2019127686.tif 000009
【図８】
2019127686.tif 000010
【図９】
2019127686.tif 000011
【図１０】
2019127686.tif 000012
【図１１】
2019127686.tif 000013
【図１２】
2019127686.tif 000014
【図１３】
2019127686.tif 000015
【図１４】
2019127686.tif 000016
【図１５】
2019127686.tif 000017
【図１６】
2019127686.tif 000018
【図１７】
2019127686.tif 000019